(57)【要約】【課題】使用者の要望に応じた適切な仕様の袋綴じ用紙を適宜作成することができる袋綴じ用紙作成装置、及び袋綴じ用紙作成プログラムを提供する。【解決手段】使用者が望む袋綴じ用紙の長さが、本体筐体の前面に設けられた入力キー１０によって入力される。さらに、綴じ合わせる方向、標準型であるか簡易型であるか、印刷される表題等の仕様が、使用者の必要に応じて適宜入力される。すると、入力された結果や、本体筐体に装着された剥離テープの幅等に応じて印刷データが作成され、この印刷データに基づいて剥離テープへの印刷が実行される。このようにして、使用者の要望に応じた仕様の袋綴じ用紙が適宜作成される。【選択図】図２
2008230081.tif 000002
【特許請求の範囲】
【請求項１】
紙束の表面に密着し、綴じ針によって前記紙束に固定される密着部と、当該密着部の一端部から折り返されて前記綴じ針及び前記密着部を覆う表面部と、当該表面部における前記密着部側とは反対側の端部から折り曲げられて前記紙束の裏面側に回り込み、前記綴じ針を覆うと共に前記紙束に接着される裏面部とを少なくとも有する帯状の袋綴じ用紙を作成するための袋綴じ用紙作成装置であって、
長尺状の剥離テープを収納するテープ収納部と、
前記袋綴じ用紙における長手方向の長さを入力する長さ入力手段と、
少なくとも前記袋綴じ用紙における前記密着部と前記表面部との間の折り返し線を前記剥離テープに印刷するための印刷データを、前記長さ入力手段により入力される長さに基づいて作成する印刷データ作成手段と、
前記剥離テープに印刷を行う印刷手段と、
前記印刷データ作成手段により作成された印刷データに基づいて前記印刷手段を制御する印刷制御手段と
を備えたことを特徴とする袋綴じ用紙作成装置。
【請求項２】
前記テープ収納部に収納された前記剥離テープの幅を検出するテープ幅検出手段と、
当該テープ幅検出手段により検出された前記剥離テープの幅が所定値以上であるか否かを判断するテープ幅判断手段と
を備え、
前記印刷データ作成手段は、前記テープ幅判断手段により前記剥離テープの幅が所定値以上であると判断された際に、前記テープ幅検出手段により検出される幅に基づいて印刷データを作成することを特徴とする請求項１に記載の袋綴じ用紙作成装置。
【請求項３】
前記テープ幅判断手段によって前記剥離テープの幅が所定値以上でないと判断された際にエラーを出力するエラー出力手段を備えたことを特徴とする請求項２に記載の袋綴じ用紙作成装置。
【請求項４】
前記紙束の厚みを入力する厚み入力手段を備え、
前記印刷データ作成手段は、
前記厚み入力手段によって入力された厚みと同じ幅を有する背表紙部を前記袋綴じ用紙の前記表面部と前記裏面部との間に設けるための、前記背表紙部と前記表面部との間の折り線である第一折り線と、
前記背表紙部と前記裏面部との間の折り線である第二折り線と
を前記剥離テープに印刷する印刷データを作成することを特徴とする請求項１乃至３のいずれかに記載の袋綴じ用紙作成装置。
【請求項５】
前記印刷データ作成手段は、
前記厚み入力手段によって入力された厚みと同じ長さを有し、前記紙束の角を覆う保護部を前記袋綴じ用紙における前記表面部の長手方向両端部に設けるための、前記表面部と前記保護部との間の折り線である第三折り線と、
前記裏面部に接着されることで前記保護部の位置を固定する接着部を、前記保護部における前記表面部側とは反対側の端部に設けるための、前記保護部と前記接着部との間の折り線である第四折り線と、
前記密着部、前記背表紙部、及び前記裏面部の長手方向両端部から切り取られる切取部を設けるための切り取り線と
を前記剥離テープに印刷する印刷データを作成することを特徴とする請求項４に記載の袋綴じ用紙作成装置。
【請求項６】
前記切取部に印刷される、前記袋綴じ用紙の使用方法を説明した文章及びイラストの少なくともいずれかを有する説明書きを記憶する切取部説明書き記憶手段を備え、
前記印刷データ作成手段は、前記切取部説明書き記憶手段に記憶された説明書きを、前記剥離テープにおける前記切取部に位置する部分に印刷する印刷データを作成することを特徴とする請求項５に記載の袋綴じ用紙作成装置。
【請求項７】
前記剥離テープに印刷する表題を入力する表題入力手段を備え、
前記印刷データ作成手段は、前記表題入力手段によって入力された表題を前記剥離テープに印刷する印刷データを作成することを特徴とする請求項１乃至６のいずれかに記載の袋綴じ用紙作成装置。
【請求項８】
前記剥離テープに印刷する表題を入力する表題入力手段と、
前記厚み入力手段によって入力されている厚みが所定値以上であるか否かを判断する厚み判断手段と
を備え、
前記印刷データ作成手段は、前記厚み判断手段によって厚みが所定値以上であると判断された場合、前記表題入力手段によって入力された表題を、少なくとも前記剥離テープにおける前記背表紙部に位置する部分に印刷する印刷データを作成することを特徴とする請求項４乃至６のいずれかに記載の袋綴じ用紙作成装置。
【請求項９】
前記密着部に印刷される、前記袋綴じ用紙の使用方法を説明した文章及びイラストの少なくともいずれかを有する説明書きを記憶する密着部説明書き記憶手段を備え、
前記印刷データ作成手段は、前記密着部説明書き記憶手段に記憶された説明書きを、前記剥離テープにおける前記密着部に位置する部分に印刷する印刷データを作成することを特徴とする請求項１乃至８のいずれかに記載の袋綴じ用紙作成装置。
【請求項１０】
右綴じ、左綴じ、上綴じのいずれかの綴じ方向を入力する綴じ方向入力手段を備え、
前記印刷データ作成手段は、前記綴じ方向入力手段により入力された綴じ方向に基づいて印刷データを作成することを特徴とする請求項６乃至９のいずれかに記載の袋綴じ用紙作成装置。
【請求項１１】
前記剥離テープが、改ざんを防止する効果を有する改ざん防止テープであることを特徴とする請求項１乃至１０のいずれかに記載の袋綴じ用紙作成装置。
【請求項１２】
前記剥離テープの表面に、押印可能となる処理を行ったことを特徴とする請求項１乃至１１のいずれかに記載の袋綴じ用紙作成装置。
【請求項１３】
請求項１乃至１２のいずれかに記載の袋綴じ用紙作成装置の各種処理手段としてコンピュータを機能させるための袋綴じ用紙作成プログラム。
【発明の詳細な説明】
【技術分野】
【０００１】
本発明は、複数枚の紙を綴じ合わせる際に使用する袋綴じ用紙を作成するための袋綴じ用紙作成装置、及び袋綴じ用紙作成プログラムに関する。
【背景技術】
【０００２】
従来、帳票や契約書類等が改ざんされることを防止すると共に、これらの保存や整理を効率よく行うために、袋綴じ用紙を用いて複数枚の紙を綴じ合わせることが広く行われている。袋綴じを行う際には、まず、複数枚の紙（以下、「紙束」という。）の表紙側に袋綴じ用紙を位置させて、紙束及び袋綴じ用紙の一端側をあらかじめ揃えておき、これらをコの字状の綴じ針を用いて綴じる。次いで、袋綴じ用紙を２つに折り返し、折り返し部分に糊を塗布する。そして、紙束の表紙側及び裏表紙側に露出している綴じ針が覆われるように、折り返し部分を紙束の裏表紙側まで回りこませた状態で、袋綴じ用紙を紙束に貼り付ける。このような手順で袋綴じが完了する。
【０００３】
また、剥離紙によって覆われた粘着剤層があらかじめ所定箇所に設けられた袋綴じ用紙が提案されている（例えば、特許文献１参照）。この袋綴じ用紙によると、糊を塗布する工程を経る必要がないため、袋綴じの作業を迅速に行うことができ、糊がはみ出して紙束を汚す虞もない。これにより、袋綴じ用紙の使い易さの向上を実現している。
【特許文献１】特開平７−２９０８５３号公報
【発明の開示】
【発明が解決しようとする課題】
【０００４】
しかしながら、このような従来の袋綴じ用紙は、寸法があらかじめ種類毎に決められていたため、使用者は、寸法が異なる複数種類の袋綴じ用紙の中から適切なものを選択する必要があり、煩わしいという問題点があった。また、形状や寸法等の仕様を使用者が自由に設定することができなかったため、使用者の要望に応えることが困難であるという問題点があった。
【０００５】
本発明は上記課題を解決するためになされたものであり、使用者の要望に応じた適切な仕様の袋綴じ用紙を適宜作成することができる袋綴じ用紙作成装置、及び袋綴じ用紙作成プログラムを提供することを目的とする。
【課題を解決するための手段】
【０００６】
上記目的を達成するために、本発明の請求項１に記載の袋綴じ用紙作成装置は、紙束の表面に密着し、綴じ針によって前記紙束に固定される密着部と、当該密着部の一端部から折り返されて前記綴じ針及び前記密着部を覆う表面部と、当該表面部における前記密着部側とは反対側の端部から折り曲げられて前記紙束の裏面側に回り込み、前記綴じ針を覆うと共に前記紙束に接着される裏面部とを少なくとも有する帯状の袋綴じ用紙を作成するための袋綴じ用紙作成装置であって、長尺状の剥離テープを収納するテープ収納部と、前記袋綴じ用紙における長手方向の長さを入力する長さ入力手段と、少なくとも前記袋綴じ用紙における前記密着部と前記表面部との間の折り返し線を前記剥離テープに印刷するための印刷データを、前記長さ入力手段により入力される長さに基づいて作成する印刷データ作成手段と、前記剥離テープに印刷を行う印刷手段と、前記印刷データ作成手段により作成された印刷データに基づいて前記印刷手段を制御する印刷制御手段とを備えている。
【０００７】
また、本発明の請求項２に記載の袋綴じ用紙作成装置は、請求項１に記載の発明の構成に加え、前記テープ収納部に収納された前記剥離テープの幅を検出するテープ幅検出手段と、当該テープ幅検出手段により検出された前記剥離テープの幅が所定値以上であるか否かを判断するテープ幅判断手段とを備え、前記印刷データ作成手段は、前記テープ幅判断手段により前記剥離テープの幅が所定値以上であると判断された際に、前記テープ幅検出手段により検出される幅に基づいて印刷データを作成することを特徴とする。
【０００８】
また、本発明の請求項３に記載の袋綴じ用紙作成装置は、請求項２に記載の発明の構成に加え、前記テープ幅判断手段によって前記剥離テープの幅が所定値以上でないと判断された際にエラーを出力するエラー出力手段を備えている。
【０００９】
また、本発明の請求項４に記載の袋綴じ用紙作成装置は、請求項１乃至３のいずれかに記載の発明の構成に加え、前記紙束の厚みを入力する厚み入力手段を備え、前記印刷データ作成手段は、前記厚み入力手段によって入力された厚みと同じ幅を有する背表紙部を前記袋綴じ用紙の前記表面部と前記裏面部との間に設けるための、前記背表紙部と前記表面部との間の折り線である第一折り線と、前記背表紙部と前記裏面部との間の折り線である第二折り線とを前記剥離テープに印刷する印刷データを作成することを特徴とする。
【００１０】
また、本発明の請求項５に記載の袋綴じ用紙作成装置は、請求項４に記載の発明の構成に加え、前記印刷データ作成手段は、前記厚み入力手段によって入力された厚みと同じ長さを有し、前記紙束の角を覆う保護部を前記袋綴じ用紙における前記表面部の長手方向両端部に設けるための、前記表面部と前記保護部との間の折り線である第三折り線と、前記裏面部に接着されることで前記保護部の位置を固定する接着部を、前記保護部における前記表面部側とは反対側の端部に設けるための、前記保護部と前記接着部との間の折り線である第四折り線と、前記密着部、前記背表紙部、及び前記裏面部の長手方向両端部から切り取られる切取部を設けるための切り取り線とを前記剥離テープに印刷する印刷データを作成することを特徴とする。
【００１１】
また、本発明の請求項６に記載の袋綴じ用紙作成装置は、請求項５に記載の発明の構成に加え、前記切取部に印刷される、前記袋綴じ用紙の使用方法を説明した文章及びイラストの少なくともいずれかを有する説明書きを記憶する切取部説明書き記憶手段を備え、前記印刷データ作成手段は、前記切取部説明書き記憶手段に記憶された説明書きを、前記剥離テープにおける前記切取部に位置する部分に印刷する印刷データを作成することを特徴とする。
【００１２】
また、本発明の請求項７に記載の袋綴じ用紙作成装置は、請求項１乃至６のいずれかに記載の発明の構成に加え、前記剥離テープに印刷する表題を入力する表題入力手段を備え、前記印刷データ作成手段は、前記表題入力手段によって入力された表題を前記剥離テープに印刷する印刷データを作成することを特徴とする。
【００１３】
また、本発明の請求項８に記載の袋綴じ用紙作成装置は、請求項４乃至６のいずれかに記載の発明の構成に加え、前記剥離テープに印刷する表題を入力する表題入力手段と、前記厚み入力手段によって入力されている厚みが所定値以上であるか否かを判断する厚み判断手段とを備え、前記印刷データ作成手段は、前記厚み判断手段によって厚みが所定値以上であると判断された場合、前記表題入力手段によって入力された表題を、少なくとも前記剥離テープにおける前記背表紙部に位置する部分に印刷する印刷データを作成することを特徴とする。
【００１４】
また、本発明の請求項９に記載の袋綴じ用紙作成装置は、請求項１乃至８のいずれかに記載の発明の構成に加え、前記密着部に印刷される、前記袋綴じ用紙の使用方法を説明した文章及びイラストの少なくともいずれかを有する説明書きを記憶する密着部説明書き記憶手段を備え、前記印刷データ作成手段は、前記密着部説明書き記憶手段に記憶された説明書きを、前記剥離テープにおける前記密着部に位置する部分に印刷する印刷データを作成することを特徴とする。
【００１５】
また、本発明の請求項１０に記載の袋綴じ用紙作成装置は、請求項６乃至９のいずれかに記載の発明の構成に加え、右綴じ、左綴じ、上綴じのいずれかの綴じ方向を入力する綴じ方向入力手段を備え、前記印刷データ作成手段は、前記綴じ方向入力手段により入力された綴じ方向に基づいて印刷データを作成することを特徴とする。
【００１６】
また、本発明の請求項１１に記載の袋綴じ用紙作成装置は、請求項１乃至１０のいずれかに記載の発明の構成に加え、前記剥離テープが、改ざんを防止する効果を有する改ざん防止テープであることを特徴とする。
【００１７】
また、本発明の請求項１２に記載の袋綴じ用紙作成装置は、請求項１乃至１１のいずれかに記載の発明の構成に加え、前記剥離テープの表面に、押印可能となる処理を行ったことを特徴とする。
【００１８】
また、本発明の請求項１３に記載の袋綴じ用紙作成プログラムは、請求項１乃至１２のいずれかに記載の発明の各種処理手段としてコンピュータを機能させる。
【発明の効果】
【００１９】
本発明の請求項１に記載の袋綴じ用紙作成装置によると、袋綴じ用紙の長手方向の長さが長さ入力手段によって入力され、入力された長さに応じて印刷データが作成されて、袋綴じ用紙が作成される。よって、使用者の要望に応じた適切な寸法の袋綴じ用紙を容易に作成することができる。
【００２０】
また、本発明の請求項２に記載の袋綴じ用紙作成装置は、請求項１に記載の発明の効果に加え、収納された剥離テープの幅がテープ幅検出手段によって検出され、検出された剥離テープの幅が所定値以上である場合にこの幅に基づいて印刷データが作成されるため、収納された剥離テープの幅に応じた適切な寸法の袋綴じ用紙を作成することができる。
【００２１】
また、本発明の請求項３に記載の袋綴じ用紙作成装置は、請求項２に記載の発明の効果に加え、収納された剥離テープの幅が所定値以上でない場合にはエラーを出力することができるため、幅が短すぎて使い勝手の悪い袋綴じ用紙が作成されることを防止することができる。また、使用者は、剥離テープを適切な幅のものに交換する等の迅速な対応を行うことができる。
【００２２】
また、本発明の請求項４に記載の袋綴じ用紙作成装置は、請求項１乃至３のいずれかに記載の発明の効果に加え、紙束の厚みが厚み入力手段によって入力され、入力された厚みに応じて第一折り線及び第二折り線が印刷されることで、袋綴じ用紙に紙束の厚みと同じ幅の背表紙部を設けることができる。よって、紙束の厚みに応じた適切な寸法の袋綴じ用紙を作成することができる。
【００２３】
また、本発明の請求項５に記載の袋綴じ用紙作成装置は、請求項４に記載の発明の効果に加え、紙束の角を覆う保護部と、保護部の位置を固定する接着部と、切り取られる切取部とを設けるための線を袋綴じ用紙に印刷することができるため、紙束の角を覆う形状の袋綴じ用紙を作成することができる。
【００２４】
また、本発明の請求項６に記載の袋綴じ用紙作成装置は、請求項５に記載の発明の効果に加え、切取部説明書き記憶手段に記憶された説明書きを、剥離テープにおける切取部に位置する部分に印刷する印刷データを作成することができるため、使用者は袋綴じ用紙の使用方法を容易に理解することができる。また、説明書きが印刷される切取部は袋綴じを行う際に切り取られるため、袋綴じ完了時の見栄えを損なうことなく説明書きを印刷することができる。
【００２５】
また、本発明の請求項７に記載の袋綴じ用紙作成装置は、請求項１乃至６のいずれかに記載の発明の効果に加え、表題が表題入力手段によって入力され、入力された表題が剥離テープに印刷されるため、使用者の要望通りの表題が印刷された使い勝手の良い袋綴じ用紙を作成することができる。
【００２６】
また、本発明の請求項８に記載の袋綴じ用紙作成装置は、請求項４乃至６のいずれかに記載の発明の効果に加え、厚み入力手段によって入力された厚みが所定値以上であると厚み判断手段により判断された場合に、表題入力手段によって入力された表題が、剥離テープにおける背表紙部に位置する部分に印刷されるため、表題が背表紙部に印刷された袋綴じ用紙を作成することができる。また、入力された厚み、すなわち背表紙部の幅が所定値以上である場合に背表紙部への表題の印刷を行うため、表題の文字が極端に小さくなる不具合や、表題が背表紙部からはみ出すことによる見栄えの悪化を防止することができる。
【００２７】
また、本発明の請求項９に記載の袋綴じ用紙作成装置は、請求項１乃至８のいずれかに記載の発明の効果に加え、密着部説明書き記憶手段に記憶された説明書きを、剥離テープにおける密着部に位置する部分に印刷する印刷データを作成することができるため、使用者は袋綴じ用紙の使用方法を容易に理解することができる。また、説明書きが印刷される密着部は袋綴じを行う際に表面部の裏側に位置するため、袋綴じ完了時の見栄えを損なうことなく説明書きを印刷することができる。
【００２８】
また、本発明の請求項１０に記載の袋綴じ用紙作成装置は、請求項６乃至９のいずれかに記載の発明の効果に加え、綴じ方向入力手段によって入力された綴じ方向に基づいて印刷データを作成することができるため、線、表題、及び説明書き等を、綴じ方向に応じた適切な向きで、適切な位置に印刷することができる。
【００２９】
また、本発明の請求項１１に記載の袋綴じ用紙作成装置は、請求項１乃至１０のいずれかに記載の発明の効果に加え、改ざんを防止する効果を有する改ざん防止テープを使用しているため、改ざんを防止する効果がより高い袋綴じ用紙を作成することができる。
【００３０】
また、本発明の請求項１２に記載の袋綴じ用紙作成装置は、請求項１乃至１１のいずれかに記載の発明の効果に加え、剥離テープの表面に押印可能となる処理を行っているため、袋綴じ完了後に押印を行って改ざんを防止することができる。
【００３１】
また、本発明の請求項１３に記載の袋綴じ用紙作成プログラムは、コンピュータに実行させることで請求項１乃至１２のいずれかに記載の発明の作用効果を奏することができる。
【発明を実施するための最良の形態】
【００３２】
以下、本発明の一実施の形態である袋綴じ用紙作成装置１について、図面を参照して説明する。図１は、袋綴じ用紙作成装置１の外観を示す斜視図である。この袋綴じ用紙作成装置１によると、使用者によって入力される紙束のサイズ、綴じ方向、袋綴じ用紙の形状、紙束の厚み、及び表題文字と、収納されている剥離テープの幅とに応じて、使用者の要望に応じた適切な仕様の袋綴じ用紙を作成することができる。
【００３３】
まず、図１を参照して、袋綴じ用紙作成装置１の構成について説明する。図１に示すように、袋綴じ用紙作成装置１は、底面が略長方形を成した本体筐体２の後側に、ロールテープホルダ（図示外）を収納するロールテープホルダ収納部４を備えている。このロールテープホルダ収納部４に収納されるロールテープホルダは、長尺状の剥離テープが巻回されて構成されている。この長尺状の剥離テープにはダイカット（プリカット）されたものとされていないものとがあるが、袋綴じ用紙作成装置１では共に使用することができる。そして、本体筐体２の後側上縁端部には、ロールテープホルダ収納部４の上側を覆い隠すように、カバー５が開閉自在に取り付けられている。そして、本体筐体２とカバー５との間に設けられた排出口６から剥離テープが排出される。このカバー５が閉じられていないと印刷は実行されない。これにより、操作者が誤って印刷中にロールテープホルダの交換等を行おうとして本体やロールテープホルダに損傷を与えることを防止している。また、カバー５が閉じられたときに、テープ検出センサ４１（図２参照）によりロールテープホルダの装着の有無、及び装着されたロールテープホルダを構成する剥離テープのテープ幅等の情報の検出が行われる。
【００３４】
ここで、袋綴じ用紙作成装置１に装着させる剥離テープは、剥がすと接着面に文字や模様等が残るテープや、破らなければ剥がすことができないテープ等、改ざんを防止する効果を有するテープを用いることが望ましい。これにより、改ざんを防止する効果がより高い袋綴じ用紙を作成することができる。さらには、粘着面とは反対側の面に押印が可能な紙等の材質を用いているテープや、押印可能な処理が施されたテープを用いることで、より使い勝手のよい袋綴じ用紙を作成することができる。
【００３５】
また、袋綴じ用紙作成装置１は、前側にサーマルヘッド５１、テープ送りモータ５３、カッター５５等からなる印刷機構５０（図２参照）を備えている。そして、本体筐体２の上面前側には液晶ディスプレイ９と、袋綴じ用紙作成装置１の電源を入切するための電源キー１１と、袋綴じ用紙作成装置１の動作を指示するための各種入力キー１０とが設けられている。ここで、入力キー１０は、各種設定を行うためのメニューを表示したり確定したりするためのＯＫキー１２と、液晶ディスプレイ９上に表示されたカーソル等を前後に移動させるための矢印キーである前送りキー１３及び後ろ送りキー１４と、印刷開始のための指示を行う印刷キー１５と、内容をキャンセルするためのＥＳＣキー（キャンセルキー）１６とから構成されている。
【００３６】
次に、図２を参照して、袋綴じ用紙作成装置１の電気的構成について説明する。図２は、袋綴じ用紙作成装置１の電気的構成を示すブロック図である。図２に示すように、袋綴じ用紙作成装置１は、主に制御部３０と、センサ部４０と、印刷機構５０と、電源部６０とから構成されている。制御部３０は、袋綴じ用紙作成装置１の各部を制御するＣＰＵ３２と、このＣＰＵ３２にデータバス３７を介して接続された入出力インタフェース３１と、各種のプログラムを記憶したＲＯＭ３３と、各種フラグやパラメータ、印刷データ等を格納するＲＡＭ３４と、グラフィックデータを記憶したＣＧＲＯＭ３５とから構成されている。
【００３７】
ここで、ＲＯＭ３３には、袋綴じ用紙作成装置１の動作を制御するための制御プログラムや、印刷処理を実行するための印刷実行プログラム等を記憶したプログラム記憶領域３３１と、袋綴じ用紙の使用方法を説明する説明文や、液晶ディスプレイ９に表示するメッセージ等を記憶した表示メッセージ記憶領域３３２と、紙束のサイズに応じた袋綴じ用紙の寸法を記憶した寸法記憶領域３３３とが設けられている。さらに、ＲＯＭ３３には、図示外の各種記憶領域が設けられている。
【００３８】
また、ＲＡＭ３４には、ＣＰＵ３２によって作成された印刷データを記憶する印刷データ記憶領域３４１と、各種フラグを記憶するフラグ記憶領域３４２と、収納されている剥離テープの情報を記憶するテープ情報記憶領域３４３と、使用者によって入力された紙束のサイズ、袋綴じ用紙の形状、紙束の厚み、表題等を記憶する入力情報記憶領域３４４とが設けられている。さらに、ＲＡＭ３４には、図示外の各種記憶領域が設けられている。
【００３９】
また、図２に示すように、センサ部４０は、ロールテープホルダ収納部４内のロールテープホルダの有無の検出、及び収納されたロールテープホルダを構成する剥離テープの種類の検出を行うテープ検出センサ４１と、カバー５が開いているか閉じているかの検出を行うカバーオープンセンサ４２と、剥離テープを切断するためのカッター５５の位置の検出を行うカッターセンサ４３とから構成されている。センサ部４０の各センサは、入出力インタフェース３１を介して制御部３０に接続されており、検出結果を制御部３０へ出力する。
【００４０】
尚、本実施の形態では、収納されているロールテープホルダの種類を検出することで、剥離テープの幅と長さ（ダイカットされている場合には有効幅と長さ、ダイカットされていない場合には、長さは最大長となる）を検出している。詳細には、巻回されたロールテープを保持する保持部材の一部に、ロールテープホルダの種類に応じて異なるパターンで識別孔が複数穿設されており、ロールテープホルダをロールテープホルダ収納部４に装着すると、テープ検出センサ４１に設けられた複数個の検出スイッチ（図示外）が識別孔に挿入される。すると、識別孔に挿入された検出スイッチがオフ、識別孔が穿設されていない位置の検出スイッチがオンとなり、この組み合わせに基づいて、収納されているロールテープホルダの種類が検出される。そして、検出された種類に応じたテープの幅及びテープの長さがＲＡＭ３４のテープ情報記憶領域３４３に記憶される。また、カバーオープンセンサ４２及びカッターセンサ４３の検出方法は、従来から周知である検出方法と同様であるため、説明を省略する。
【００４１】
また、印刷機構５０は、サーマルヘッド５１と、このサーマルヘッド５１を駆動するための駆動回路５２と、テープ送りモータ５３と、このテープ送りモータ５３を駆動するための駆動回路５４と、印刷された剥離テープを切断するカッター５５と、このカッター５５を駆動するための駆動回路５６とから構成されている。駆動回路５２、駆動回路５４、及び駆動回路５６は入出力インタフェース３１を介して制御部３０に接続され、制御部３０からの指示に従って印刷機構５０が印刷を実行する。
【００４２】
さらに、入出力インタフェース３１には、液晶ディスプレイ（ＬＣＤ）９に表示するデータを制御するディスプレイコントローラ（ＬＣＤＣ）１９と、入力キー１０とが接続されている。
【００４３】
また、電源部６０は、制御部３０、センサ部４０、印刷機構５０、ＬＣＤ９、入力キー１０のそれぞれに接続され、袋綴じ用紙作成装置１全体に電力を供給するようになっている。主電源が投入され、電源ＯＮ状態の時には、制御部３０、センサ部４０、印刷機構５０、ＬＣＤ９、入力キー１０の全てに電力が供給される。
【００４４】
次に、上記のように構成された袋綴じ用紙作成装置１の動作について、図３乃至図２１を参照して説明する。図３は、袋綴じ用紙作成装置１におけるメニュー選択処理のフローチャートであり、図４は、メニュー選択処理の中で行われる袋綴じ用紙作成処理のサブルーチンのフローチャートである。また、図５は、袋綴じ用紙作成処理の中で行われる形状入力処理のサブルーチンのフローチャートであり、図６は、形状入力処理の中で行われる厚み入力処理のサブルーチンのフローチャートである。また、図７は、厚み入力処理の中で行われる表題文字入力処理のサブルーチンのフローチャートであり、図８は、表題文字入力処理の中で行われるその他の処理のサブルーチンのフローチャートである。また、図９は、右綴じ標準型の袋綴じ用紙と印刷データの座標との関係を示した説明図であり、図１０は、図９に示す袋綴じ用紙により袋綴じを行った場合の紙束の斜視図であり、図１１は、左綴じ標準型の袋綴じ用紙と印刷データの座標との関係を示した説明図であり、図１２は、右綴じ簡易型の袋綴じ用紙と印刷データの座標との関係を示した説明図である。また、図１３は、ＲＯＭ３３の寸法記憶領域３３３に記憶されている長さＦの記憶内容を示す概念図であり、図１４は、ＲＯＭの寸法記憶領域３３３に記憶されている固定値の記憶内容を示す概念図である。また、図１５は、その他の処理で行われる印刷開始処理のサブルーチンのフローチャートであり、図１６は、印刷開始処理で行われるテープ種類確認処理のサブルーチンのフローチャートであり、図１７は、印刷開始処理で行われるテープ装着メッセージ表示処理のサブルーチンのフローチャートである。また、図１８は、印刷開始処理で行われる印刷データ作成処理のサブルーチンのフローチャートであり、図１９は、印刷データ作成処理で行われる座標計算処理のサブルーチンのフローチャートである。また、図２０は、背表紙部８３及び保護部８５，８６を有さない左綴じ標準型の袋綴じ用紙を示した図であり、図２１は、印刷開始処理で行われる印刷処理のサブルーチンのフローチャートである。
【００４５】
電源キー１１（図１参照）が操作されることによって袋綴じ用紙作成装置１に電源が投入されると、はじめに、メニュー選択処理が開始される。本実施の形態の袋綴じ用紙作成装置１は、袋綴じ用紙の作成動作以外にも、名前が印刷されたテープの作成や時刻ラベルの作成等の様々な動作を行うことができる。そこで、図３のフローチャートに示すように、どの動作を実行するかを使用者に選択させるために、複数のメニューを列記したメニュー選択画面が液晶ディスプレイ９に表示される（Ｓ１１）。
【００４６】
次いで、矢印キー１３，１４が操作されたか否かの判断（Ｓ１２）、及びＯＫキー１２が操作されたか否かの判断（Ｓ１３）が行われる。矢印キー１３，１４、及びＯＫキー１２の何れも操作されなかった場合には（Ｓ１２：ＮＯ，Ｓ１３：ＮＯ）、これらの判断が繰り返し行われる。そして、繰り返し判断が行われる中で矢印キー１３，１４が操作された場合には（Ｓ１２：ＹＥＳ）、操作された矢印キーが前送りキー１３であるか、後ろ送りキー１４であるかに応じて液晶ディスプレイ９内のカーソルを移動させる処理が行われ、カーソル移動後の選択画面が液晶ディスプレイ９に表示される（Ｓ１１）。
【００４７】
そして、ＯＫキーが操作された場合には、液晶ディスプレイ９内のカーソルが指しているメニューに応じた処理が行われるが、カーソルが「袋綴じ用紙作成」メニューに位置している際にＯＫキーが操作された場合には（Ｓ１３：ＹＥＳ）、後述する袋綴じ用紙作成処理が行われる（Ｓ１４）。この袋綴じ用紙作成処理が終了すると、再びメニュー選択画面が表示される（Ｓ１１）。
【００４８】
次に、図４を参照して、袋綴じ用紙作成処理について説明する。図４のフローチャートに示すように、袋綴じ用紙作成処理が開始されると、袋綴じを行う対象の紙束のサイズを複数列記したサイズ選択画面が、液晶ディスプレイ９に表示される（Ｓ２１）。次いで、矢印キー１３，１４が操作されたか否かの判断（Ｓ２２）、ＯＫキー１２が操作されたか否かの判断（Ｓ２３）、及びＥＳＣキー１６が操作されたか否かの判断（Ｓ２４）が行われる。何れのキーも操作されなかった場合には（Ｓ２２：ＮＯ、Ｓ２３：ＮＯ、Ｓ２４：ＮＯ）、これらの判断が繰り返し行われる。そして、矢印キー１３，１４が操作された場合には（Ｓ２２：ＹＥＳ）、操作された矢印キー１３，１４に応じてカーソルが移動したサイズ選択画面が、液晶ディスプレイ９に表示される（Ｓ２１）。また、ＥＳＣキー１６が操作された場合には（Ｓ２４：ＹＥＳ）、そのまま図３に示すメニュー選択処理へ戻る。
【００４９】
そして、ＯＫキー１２が操作された場合には（Ｓ２３：ＹＥＳ）、カーソルが示している紙束のサイズがＲＡＭ３４の入力情報記憶領域３４４に記憶されて、後述する形状入力処理が行われる（Ｓ２６）。この形状入力処理において、戻るフラグが「ＯＮ」とされていた場合には（Ｓ２７：ＹＥＳ）、サイズ選択画面が再び液晶ディスプレイ９に表示される（Ｓ２１）。一方で、戻るフラグが「ＯＦＦ」であった場合には（Ｓ２７：ＮＯ）、メニュー選択処理へ戻る。
【００５０】
尚、本実施の形態では、メニュー選択処理において選択可能な紙束のサイズの種類として、「Ａ５」、「Ｂ５」、「Ａ４」、「Ｂ４」、「Ａ３」等の多数のサイズが設けられているが、説明を簡略化するため、以下では「Ａ４」及び「Ｂ５」の２種類のサイズについて述べ、他のサイズの説明は省略する。
【００５１】
次に、図５を参照して、形状入力処理について説明する。図５のフローチャートに示すように、形状入力処理が開始されると、作成する袋綴じ用紙の形状を複数列記した形状選択画面が液晶ディスプレイ９に表示される（Ｓ３１）。袋綴じ用紙作成装置１により作成される袋綴じ用紙の形状は、紙束を綴じる方向によって、紙束の右側端部を綴じる「右綴じ」と、左側端部を綴じる「左綴じ」とに区別される。さらに、紙束の角を覆う保護部を有するか否かにより、保護部を有する「標準型」と、保護部を有さない「簡易型」とに区別される。従って、液晶ディスプレイ９に表示される形状選択画面には、「右綴じ標準型」、「右綴じ簡易型」、「左綴じ標準型」、「左綴じ簡易型」の４つの形状が列記される。
【００５２】
次いで、矢印キー１３，１４が操作されたか否かの判断（Ｓ３２）、ＯＫキー１２が操作されたか否かの判断（Ｓ３３）、及びＥＳＣキー１６が操作されたか否かの判断（Ｓ３４）が行われる。何れのキーも操作されなかった場合には（Ｓ３２：ＮＯ、Ｓ３３：ＮＯ、Ｓ３４：ＮＯ）、これらの判断が繰り返し行われる。そして、矢印キー１３，１４が操作された場合には（Ｓ３２：ＹＥＳ）、操作された矢印キー１３，１４に応じてカーソルが移動した形状選択画面が、液晶ディスプレイ９に表示される（Ｓ３１）。また、ＥＳＣキー１６が操作された場合には（Ｓ３４：ＹＥＳ）、フラグ記憶領域３４２に記憶されている戻るフラグが「ＯＮ」とされて（Ｓ３５）、図４に示す袋綴じ用紙作成処理へ戻る。
【００５３】
そして、ＯＫキー１２が操作された場合には（Ｓ３３：ＹＥＳ）、カーソルが示している袋綴じ用紙の形状がＲＡＭ３４の入力情報記憶領域３４４に記憶されて、後述する厚み入力処理が行われる（Ｓ３６）。この厚み入力処理において、戻るフラグが「ＯＮ」とされていた場合には（Ｓ３７：ＹＥＳ）、形状選択画面が再び液晶ディスプレイ９に表示される（Ｓ３１）。一方で、戻るフラグが「ＯＦＦ」であった場合には（Ｓ３７：ＮＯ）、図４に示す袋綴じ用紙作成処理へ戻る。
【００５４】
次に、図６を参照して、厚み入力処理について説明する。図６のフローチャートに示すように、厚み入力処理が開始されると、袋綴じを行う対象の紙束の厚みＣを複数列記した厚み選択画面が、液晶ディスプレイ９に表示される（Ｓ４１）。本実施の形態の袋綴じ用紙作成装置１では、綴じる紙束の厚みＣに応じて袋綴じ用紙を作成でき、厚み選択画面には、「４ｍｍ以下」から「５ｍｍ」、「６ｍｍ」の順で、厚みが１ｍｍ毎に列記される。
【００５５】
次いで、矢印キー１３，１４が操作されたか否かの判断（Ｓ４２）、ＯＫキー１２が操作されたか否かの判断（Ｓ４３）、及びＥＳＣキー１６が操作されたか否かの判断（Ｓ４４）が行われる。何れのキーも操作されなかった場合には（Ｓ４２：ＮＯ、Ｓ４３：ＮＯ、Ｓ４４：ＮＯ）、これらの判断が繰り返し行われる。そして、矢印キー１３，１４が操作された場合には（Ｓ４２：ＹＥＳ）、操作された矢印キー１３，１４に応じてカーソルが移動した厚み選択画面が、液晶ディスプレイ９に表示される（Ｓ４１）。また、ＥＳＣキー１６が操作された場合には（Ｓ４４：ＹＥＳ）、フラグ記憶領域３４２に記憶されている戻るフラグが「ＯＮ」とされて（Ｓ４５）、図５に示す形状入力処理へ戻る。
【００５６】
そして、ＯＫキー１２が操作された場合には（Ｓ４３：ＹＥＳ）、カーソルが示している紙束の厚みＣがＲＡＭ３４の入力情報記憶領域３４４に記憶されて、後述する表題文字入力処理が行われる（Ｓ４６）。この表題文字入力処理において、戻るフラグが「ＯＮ」とされていた場合には（Ｓ４７：ＹＥＳ）、厚み入力画面が再び液晶ディスプレイ９に表示される（Ｓ４１）。一方で、戻るフラグが「ＯＦＦ」であった場合には（Ｓ４７：ＮＯ）、図５に示す形状入力処理へ戻る。
【００５７】
次に、図７を参照して、表題文字入力処理について説明する。図７のフローチャートに示すように、表題文字入力処理が開始されると、袋綴じ用紙に印刷される表題の候補を複数列記した表題文字入力画面が、液晶ディスプレイ９に表示される（Ｓ５１）。袋綴じ用紙作成装置１には、表題として印刷される「契約書」、「見積書」、「封」、「○×株式会社」等の複数の候補、及び表題を印刷しない場合に選択される「なし」の表示が表題文字入力画面に列記される。
【００５８】
次いで、矢印キー１３，１４が操作されたか否かの判断（Ｓ５２）、ＯＫキー１２が操作されたか否かの判断（Ｓ５３）、及びＥＳＣキー１６が操作されたか否かの判断（Ｓ５４）が行われる。何れのキーも操作されなかった場合には（Ｓ５２：ＮＯ、Ｓ５３：ＮＯ、Ｓ５４：ＮＯ）、これらの判断が繰り返し行われる。そして、矢印キー１３，１４が操作された場合には（Ｓ５２：ＹＥＳ）、操作された矢印キー１３，１４に応じてカーソルが移動した表題文字入力画面が、液晶ディスプレイ９に表示される（Ｓ５１）。また、ＥＳＣキー１６が操作された場合には（Ｓ５４：ＹＥＳ）、フラグ記憶領域３４２に記憶されている戻るフラグが「ＯＮ」とされて（Ｓ５５）、図６に示す厚み入力処理へ戻る。
【００５９】
そして、ＯＫキー１２が操作された場合には（Ｓ５３：ＹＥＳ）、表題の候補、及び「なし」の表示のうち、カーソルによって指示されている１つがＲＡＭ３４の入力情報記憶領域３４４に記憶されて、後述するその他の処理が行われる（Ｓ５６）。次いで、フラグ記憶領域３４２の戻るフラグが、その他の処理中に「ＯＮ」とされていた場合には（Ｓ５７：ＹＥＳ）、表題文字入力画面が再び液晶ディスプレイ９に表示される（Ｓ５１）。一方で、戻るフラグが「ＯＦＦ」であった場合には（Ｓ５７：ＮＯ）、図６に示す厚み入力処理へ戻る。
【００６０】
次に、図８を参照して、その他の処理について説明する。図８のフローチャートに示すように、その他の処理が開始されると、設定の完了を指示する「設定完了」欄、規定値に従った袋綴じ用紙の作成を指示する「デフォルト」欄、折り線や切り取り線等のデザインや、フォントの変更等の詳細設定を指示する「詳細設定」欄等を列記したその他選択画面が、液晶ディスプレイ９に表示される（Ｓ６１）。尚、本実施の形態では、デフォルトとして、厚みが４ｍｍ以下であるＡ４サイズの紙束を、その短手方向の一端部において綴じ合わせる場合の、簡易型の袋綴じ用紙を作成するための数値が設定されている。
【００６１】
次いで、矢印キー１３，１４が操作されたか否かの判断（Ｓ６２）、ＯＫキー１２が操作されたか否かの判断（Ｓ６３）、及びＥＳＣキー１６が操作されたか否かの判断（Ｓ６４）が行われる。何れのキーも操作されなかった場合には（Ｓ６２：ＮＯ、Ｓ６３：ＮＯ、Ｓ６４：ＮＯ）、これらの判断が繰り返し行われる。そして、矢印キー１３，１４が操作された場合には（Ｓ６２：ＹＥＳ）、操作された矢印キー１３，１４に応じてカーソルが移動したその他選択画面が、液晶ディスプレイ９に表示される（Ｓ６１）。また、ＥＳＣキー１６が操作された場合には（Ｓ６４：ＹＥＳ）、フラグ記憶領域３４２に記憶されている戻るフラグが「ＯＮ」とされて（Ｓ６５）、図７に示す表題文字入力処理へ戻る。
【００６２】
そして、液晶ディスプレイ９内のカーソルが「設定完了」以外の欄を指している際にＯＫキー１２が操作されると、カーソルの指示内容に応じたその他の処理が行われて、処理の結果がＲＡＭ３４に記憶されるが、この処理内容は周知であるため説明を省略する。また、カーソルが「設定完了」の欄を指している際にＯＫキー１２が操作された場合には（Ｓ６３：ＹＥＳ）、後述する印刷開始処理が行われる（Ｓ６６）。次いで、フラグ記憶領域３４２の戻るフラグが、印刷開始処理中に「ＯＮ」とされていた場合には（Ｓ６７：ＹＥＳ）、その他選択画面が再び液晶ディスプレイ９に表示される（Ｓ６１）。一方で、戻るフラグが「ＯＦＦ」であった場合には（Ｓ６７：ＮＯ）、図７に示す表題文字入力処理へ戻る。そして、次に行われる印刷開始処理（図１５参照）では、テープの幅や長さの検出が行われ、この検出結果及び入力結果に基づいた印刷データの作成、及び剥離テープへの印刷処理等が行われる。
【００６３】
ここで、図９乃至図１４を参照して、印刷データの座標と、作成される袋綴じ用紙との関係について説明する。本実施の形態では、帯状に形成される袋綴じ用紙の長手方向をＸ方向、短手方向をＹ方向として、袋綴じ用紙の左上の角の座標を（ｘ，ｙ）＝（０，０）とし、下方向をＸの正方向、右方向をＹの正方向とする。
【００６４】
まず、袋綴じ用紙の各部位について説明する。図９に示すように、紙束の右側端部を綴じると共に紙束の２つの角を覆う「右綴じ標準型」の袋綴じ用紙には、紙束の表面に密着し、綴じ針によって紙束に固定される密着部８１と、該密着部８１の一端部から折り返されて綴じ針及び密着部８１を覆う表面部８２と、該表面部８２における密着部８１とは反対側の端部から折り曲げられて紙束の一端部を覆う背表紙部８３と、該背表紙部８３における表面部８２とは反対側の端部から折り曲げられて綴じ針を覆い、紙束に接着される裏面部８４とが設けられている。さらに、表面部８２の長手方向両端部には、背表紙部８３の幅と同じ長さを有し、紙束の角を覆う保護部８５，８６が設けられており、該保護部８５，８６における表面部８２とは反対側の端部には、裏面部８４に接着されることで保護部８５，８６の位置を固定する接着部８７，８８が設けられている。また、密着部８１、背表紙部８３、及び裏面部８４におけるＸ方向両端部から切り取られる切取部１０１，１０２，１０３，１０４が設けられている。
【００６５】
そして、図１０に示すように、「右綴じ標準型」の袋綴じ用紙を用いて紙束の右側端部を綴じ合わせると、紙束の表面側に表面部８２が、右側端部に背表紙部８３が、背面側に裏面部８４が位置する。また、保護部８５によって紙束の右上の角が、保護部８６によって紙束の右下の角が覆われて、これらの保護部８５，８６の位置は接着部８７，８８によって固定される。
【００６６】
尚、図１１に示すように、紙束の左側端部を綴じる「左綴じ標準型」の袋綴じ用紙は、図９に示す「右綴じ標準型」の左右が反転した形状であるため、説明を省略する。また、図１２に示すように、「右綴じ簡易型」の袋綴じ用紙は、図９に示す「右綴じ標準型」の袋綴じ用紙から保護部８５，８６、接着部８７，８８、及び切取部１０１〜１０４が省かれたのみである。そして、「左綴じ簡易型」の袋綴じ用紙は、図１２に示す袋綴じ用紙の左右が反転した形状である。よって、これらの説明を省略する。
【００６７】
次いで、袋綴じ用紙に印刷される各目印線について説明する。図９に示すように、「右綴じ標準型」の袋綴じ用紙には、密着部８１と表面部８２との間に延びる折り返し線９１、表面部８２と背表紙部８３との間に延びる第一折り線９２、背表紙部８３と裏面部８４との間に延びる第二折り線９３、及び剥離テープの幅に対して袋綴じ用紙のＹ方向の幅が短い場合の余剰分を切り取るための余剰分切り取り線９４が設けられている。さらに、表面部８２と保護部８５，８６との間に延びる第三折り線９５，９６、保護部８５，８６と接着部８７，８８との間に延びる第四折り線９７，９８、切取部１０１〜１０４を切り取るための切り取り線１０６，１０７，１０８，１０９が設けられている。
【００６８】
尚、「左綴じ標準型」の袋綴じ用紙は、「右綴じ標準型」の左右が反転した形状であるため、説明を省略する。また、「右綴じ簡易型」及び「左綴じ簡易型」の袋綴じ用紙は、標準型の袋綴じ用紙から第三折り線９５，９６、第四折り線９７，９８、及び切り取り線１０６〜１０９が省かれたのみであるため、これらの説明を省略する。
【００６９】
次いで、袋綴じ用紙の各部位の寸法について説明する。図１３に示すように、ＲＯＭ３３の寸法記憶領域３３３には、袋綴じ用紙作成処理（図４参照）にて入力される紙束のサイズに応じて、密着部８１、表面部８２、背表紙部８３、及び裏面部８４のＸ方向の長さＦが、印刷データのドット数に換算されてあらかじめ記憶されている。
【００７０】
また、図１４に示すように、ＲＯＭ３３の寸法記憶領域３３３には、複数の紙束のサイズに共通の長さが、ドット数により固定値として記憶されている。詳細には、密着部８１のＹ方向の長さＡ、表面部８２のＹ方向の長さＢ、接着部８７，８８のＸ方向の長さＥ、裏面部８４におけるＸ方向の綴じ隠し幅Ｇの最小値Ｇｍｉｎ、綴じ隠し幅Ｇの最大値Ｇｍａｘ、及び切取部１０１，１０２に印刷される「切り取り」の文字の位置を決定するためのｘ１の値が記憶されている。ここで、綴じ隠し幅Ｇとは、紙束及び袋綴じ用紙を固定する綴じ針（図示外）を、紙束の裏面側にて覆い隠すために必要な幅であり、この綴じ隠し幅Ｇは、最小値Ｇｍｉｎと最大値Ｇｍａｘとの間での調整が可能である。これにより、袋綴じ用紙におけるＸ方向の長さを最適な値に調整することができる。この詳細は後述する。尚、本実施の形態では１１８ドットで１０ｍｍの長さとなる。
【００７１】
次いで、Ｘ方向の座標について説明する。図９に示すように、Ｘ方向には、ｘ１〜ｘ６の６つの座標が与えられる。ｘ１は、「切り取り」のメッセージの配置位置を決定する座標であり、ｘ２は、第四折り線９７の配置位置を決定する座標であり、ｘ３は、第三折り線９５の配置位置を決定する座標である。また、ｘ４は第三折り線９６を、ｘ５は第四折り線９８を、ｘ６は袋綴じ用紙におけるＸ方向の端部を決定する座標である。
【００７２】
そして、ｘ１〜ｘ６の値は、先述した寸法記憶領域３３３に記憶されている値、及び厚み入力処理（図６参照）において入力される厚みＣのドット換算値により求められる。「右綴じ標準型」の袋綴じ用紙では、ｘ１は記憶されている値がそのまま用いられ、ｘ２はＥの値が用いられる。また、ｘ３＝Ｅ＋Ｃとなり、ｘ４＝Ｅ＋Ｃ＋Ｆとなる。また、ｘ５＝Ｅ＋Ｃ＋Ｆ＋Ｃとなり、ｘ６＝Ｅ＋Ｃ＋Ｆ＋Ｃ＋Ｅとなる。
【００７３】
また、図１２に示すように、「右綴じ簡易型」の袋綴じ用紙では、「右綴じ標準型」とは異なり、保護部８５，８６、及び接着部８７，８８が設けられない。従って、ｘ１＝ｘ２＝ｘ３＝０となり、ｘ４＝ｘ５＝ｘ６＝Ｆとなる。尚、図１１に示す「左綴じ標準型」は「右綴じ標準型」の左右が反転したのみであるため、両者のＸ方向の座標は同じである。同様に、「左綴じ簡易型」のＸ方向の座標は、「右綴じ簡易型」のＸ方向の座標と同じである。
【００７４】
次いで、Ｙ方向の座標について説明する。図９に示すように、Ｙ方向には、ｙ１〜ｙ４の４つの座標が与えられる。ｙ１は、折り返し線９１の配置位置を決定する座標であり、ｙ２は、第一折り線９２を決定する座標である。また、ｙ３は第二折り線９３、ｙ４は余剰分切り取り線９４を決定する座標であるが、剥離テープの幅全体を用いて袋綴じ用紙を作成する場合には、余剰分切り取り線９４は袋綴じ用紙の右側端部と一致する。尚、ｙｍｉｎは、綴じ隠し幅Ｇが最小値Ｇｍｉｎである場合の袋綴じ用紙のＹ方向の幅であり、ｙｍａｘは、綴じ隠し幅Ｇが最大値Ｇｍａｘである場合の袋綴じ用紙のＹ方向の幅である。
【００７５】
そして、Ｙ方向における４つの座標の値、及びｙｍｉｎ、ｙｍａｘの値は、Ｘ方向における座標と同様に、寸法記憶領域３３３に記憶されている値、及び厚み入力処理（図６参照）において入力される厚みＣにより求められる。「右綴じ標準型」の袋綴じ用紙では、ｙ１＝Ａとなり、ｙ２＝Ａ＋Ｂとなる。また、ｙ３＝Ａ＋Ｂ＋Ｃとなり、ｙ４＝ｙ３＋Ｂ＋Ｇとなる。また、ｙｍｉｎ＝ｙ３＋Ｂ＋Ｇｍｉｎとなり、ｙｍａｘ＝ｙ３＋Ｂ＋Ｇｍａｘとなる。
【００７６】
また、図１１に示すように、「左綴じ標準型」の袋綴じ用紙では、余剰分切り取り線９４によって切り取られる部分のＹ方向の幅がｙｓｐとされ、この値を用いて各座標の位置が決定される。詳細には、ｙ１＝ｙｓｐ＋Ｇ＋Ｂ＋Ｃ＋Ｂとなり、ｙ２＝ｙｓｐ＋Ｇ＋Ｂ＋Ｃとなる。また、ｙ３＝ｙｓｐ＋Ｇ＋Ｂとなり、ｙ４＝ｙｓｐとなる。また、ｙｍｉｎ＝Ｇｍｉｎ＋Ｂ＋Ｃ＋Ｂ＋Ａとなり、ｙｍａｘ＝Ｇｍａｘ＋Ｂ＋Ｃ＋Ｂ＋Ａとなる。尚、図１２に示す「右綴じ簡易型」の袋綴じ用紙のＹ方向の座標は、図９に示す「右綴じ標準型」の座標と同じであり、「左綴じ簡易型」のＹ方向の座標は、図１１に示す「左綴じ標準型」の座標と同じである。よって、これらの説明を省略する。
【００７７】
次に、図１５を参照して、印刷開始処理について説明する。図１５のフローチャートに示すように、印刷開始処理が開始されると、ＲＯＭ３３の表示メッセージ記憶領域３３２に記憶されている印刷開始メッセージが、液晶ディスプレイ９に表示される（Ｓ７１）。これにより、液晶ディスプレイ９には「袋綴じ用紙の印刷を開始します」というメッセージが表示される。次いで、ＯＫキー１２が操作されたか否かの判断（Ｓ７２）、及びＥＳＣキー１６が操作されたか否かの判断（Ｓ７３）が行われ、何れのキーも操作されなかった場合には（Ｓ７２：ＮＯ、Ｓ７３：ＮＯ）、これらの判断が繰り返し行われる。そして、ＥＳＣキー１６が操作された場合には（Ｓ７３：ＹＥＳ）、戻るフラグが「ＯＮ」とされて（Ｓ７４）、図８に示すその他の処理へ戻る。また、ＯＫキー１２が操作された場合には（Ｓ７２：ＹＥＳ）、テープ種類確認処理が行われる（Ｓ７５）。
【００７８】
次に、図１６を参照して、テープ種類確認処理について説明する。図１６のフローチャートに示すように、テープ種類確認処理が開始されると、テープ検出センサ４１（図２参照）により、ロールテープホルダがロールテープホルダ収納部４に装着されているか否かの判断が行われる（Ｓ１０１）。ロールテープホルダが装着されていないと判断された場合には（Ｓ１０１：ＮＯ）、テープの装着が正しく行われていないことがＲＡＭ３４のテープ情報記憶領域３４３に記憶されて（Ｓ１０２）、図１５に示す印刷開始処理へ戻る。
【００７９】
また、ロールテープホルダが装着されていると判断された場合には（Ｓ１０１：ＹＥＳ）、テープ検出センサ４１により、装着されているロールテープホルダの種類が検出される（Ｓ１０３）。次いで、検出されたロールテープホルダの種類から、剥離テープの幅ＬＷ、及び長さＬＬの値が取得され、テープ情報記憶領域３４３に記憶される（Ｓ１０４）。次いで、テープ必要最小幅ｙｍｉｎ、及びテープ最大幅ｙｍａｘが計算されて、テープ情報記憶領域３４３に記憶される（Ｓ１０５）。
【００８０】
次いで、テープ必要最小幅ｙｍｉｎが、装着されている剥離テープのテープ幅ＬＷ以下か否かの判断が行われる（Ｓ１０６）。装着されている剥離テープのテープ幅が狭く、ｙｍｉｎがＬＷよりも大きいと判断された場合には（Ｓ１０６：ＮＯ）、袋綴じ用紙を作成することができない。そこで、テープの装着が正しく行われていないことがテープ情報記憶領域３４３に記憶されて（Ｓ１０２）、図１５に示す印刷開始処理へ戻る。
【００８１】
また、テープ必要最小幅ｙｍｉｎがテープ幅ＬＷ以下であると判断された場合には（Ｓ１０６：ＹＥＳ）、袋綴じ用紙におけるＸ方向の端部を決定する座標の値ｘ６が、装着されている剥離テープの長さＬＬ以下か否かの判断が行われる（Ｓ１０７）。ここで、ｘ６の値は、袋綴じ用紙のＸ方向（長手方向）の長さに等しい。装着されている剥離テープの長さが短く、ｘ６がＬＬよりも大きいと判断された場合には（Ｓ１０７：ＮＯ）、テープの装着が正しく行われていないことがテープ情報記憶領域３４３に記憶されて（Ｓ１０２）、図１５に示す印刷開始処理へ戻る。
【００８２】
また、ｘ６の値がテープの長さＬＬ以下であると判断された場合には（Ｓ１０７：ＹＥＳ）、テープ最大幅ｙｍａｘが、装着されている剥離テープのテープ幅ＬＷより小さいか否かの判断が行われる（Ｓ１０８）。本実施の形態では、紙束の裏面側にて綴じ針を覆い隠すための幅である綴じ隠し幅Ｇの値を、最小値Ｇｍｉｎと最大値Ｇｍａｘとの範囲内で調整することで、袋綴じ用紙の幅（Ｘ方向の長さ）を最適な値に調整する。詳細には、綴じ隠し幅Ｇの値を範囲内で調整することで、作成する袋綴じ用紙の幅と、装着されている剥離テープの幅ＬＷとが等しくなる場合には、両者の値が等しくなるように綴じ隠し幅Ｇの値を調整する。これにより、余剰分切り取り線９４（図９参照）で余剰分を切り取る手間を省くことができる。
【００８３】
そこで、テープ最大幅ｙｍａｘが、テープ幅ＬＷ以上の長さである場合には（Ｓ１０８：ＮＯ）、綴じ隠し幅Ｇの値がＧ＝Ｇｍｉｎ＋ＬＷ−ｙｍｉｎとされ、余剰分切り取り線９４によって切り取られる部分のＹ方向の幅ｙｓｐの値が０とされる（Ｓ１１０）。そして、テープの装着が正しく行われたことがテープ情報記憶領域３４３に記憶されて（Ｓ１１１）、印刷開始処理へ戻る。一方で、テープ最大幅ｙｍａｘがテープ幅ＬＷよりも短い場合には（Ｓ１０８：ＹＥＳ）、綴じ隠し幅Ｇの値が最小値Ｇｍｉｎとされ、余剰分の幅ｙｓｐの値がｙｓｐ＝ＬＷ−ｙｍｉｎとされて（Ｓ１０９）、テープの装着が正しく行われたことが記憶され（Ｓ１１１）、図１５に示す印刷開始処理へ戻る。
【００８４】
図１５に示す印刷開始処理の説明に戻り、テープ種類確認処理（Ｓ７５）が終了すると、ＲＡＭ３４のテープ情報記憶領域３４３の記憶内容から、テープの装着が正しく行われたか否かの判断が行われる（Ｓ７６）。テープが正しく装着されていないと判断された場合には（Ｓ７６：ＮＯ）、テープ装着メッセージ表示処理が行われる（Ｓ７７）
【００８５】
次に、図１７を参照して、テープ装着メッセージ表示処理について説明する。図１７のフローチャートに示すように、テープ装着メッセージ表示処理が開始されると、ＲＯＭ３３の表示メッセージ記憶領域３３２に記憶されているテープ装着メッセージが、液晶ディスプレイ９に表示される（Ｓ１２１）。これにより、液晶ディスプレイ９には「袋綴じ用テープを装着してください」というメッセージが表示される。次いで、ＯＫキー１２が操作されたか否かの判断（Ｓ１２２）、及びＥＳＣキー１６が操作されたか否かの判断（Ｓ１２３）が行われ、何れのキーも操作されなかった場合には（Ｓ１２２：ＮＯ、Ｓ１２３：ＮＯ）、これらの判断が繰り返し行われる。そして、ＥＳＣキー１６が操作された場合には（Ｓ１２３：ＹＥＳ）、戻るフラグが「ＯＮ」とされて（Ｓ１２４）、図１５に示す印刷開始処理へ戻る。また、ＯＫキー１２が操作された場合には（Ｓ１２２：ＹＥＳ）、そのまま印刷開始処理へ戻る。
【００８６】
図１５に示す印刷処理の説明に戻り、テープ装着メッセージ表示処理（Ｓ７７）が終了すると、フラグ記憶領域３４２の戻るフラグが「ＯＮ」となっているか否かの判断が行われる（Ｓ７８）。「ＯＮ」となっている場合には（Ｓ７８：ＹＥＳ）、図８に示すその他の処理へ戻る。戻るフラグが「ＯＦＦ」となっている場合には（Ｓ７８：ＮＯ）、テープ種類確認処理が再び行われる（Ｓ７５）。そして、ＲＡＭ３４のテープ情報記憶領域３４３の記憶内容により、テープが正しく装着されていると判断された場合には（Ｓ７６：ＹＥＳ）、印刷データ作成処理が行われる（Ｓ７９）。
【００８７】
次に、図１８及び図１９を参照して、印刷データ作成処理について説明する。図１８のフローチャートに示すように、印刷データ作成処理が開始されると、ＲＡＭ３４の印刷データ記憶領域に記憶されている印刷イメージがクリアされる（Ｓ１３１）。次いで、座標計算処理が行われる（Ｓ１３２）。
【００８８】
図１９に示すように、座標計算処理では、ＲＡＭ３４の入力情報記憶領域３４４の記憶内容により、袋綴じテープが標準型であるか否かの判断が行われる（Ｓ１５１）。先述した形状入力処理（図５参照）において入力された袋綴じ用紙の形状が「右綴じ簡易型」若しくは「左綴じ簡易型」であれば（Ｓ１５１：ＮＯ）、図１２に示す座標が計算される。すなわち、ｘ１＝ｘ２＝ｘ３＝０とされ（Ｓ１５２）、ｘ４＝ｘ５＝ｘ６＝Ｆとされて（Ｓ１５３）、Ｘ方向の座標が決定される。そして、ＲＯＭ３３の寸法記憶領域３３３に記憶されている値、厚み入力処理（図６参照）において入力された紙束の厚みＣ、テープ種類確認処理（図１６参照）において決定された綴じ隠し幅Ｇ及び余剰分の幅ｙｓｐの値により、ｙ１〜ｙ４の値が計算されてＹ方向の座標が決定される（Ｓ１５４）。そして、図１８に示す印刷データ作成処理へ戻る。
【００８９】
一方で、袋綴じ用紙の形状が「右綴じ標準型」若しくは「左綴じ標準型」であれば（Ｓ１５１：ＹＥＳ）、図９若しくは図１１に示す座標が計算される。すなわち、ｘ１〜ｘ６の値が計算されてＸ方向の座標が決定され（Ｓ１５５）、ｙ１〜ｙ４の値が計算されてＹ方向の座標が決定される（Ｓ１５６）。そして、図１８に示す印刷データ作成処理へ戻る。
【００９０】
次いで、図１８の説明に戻り、座標計算処理（Ｓ１３２）が終了すると、計算された座標の値に基づいて、印刷データ記憶領域３４１内の印刷イメージに、（０，ｙ１）から（ｘ６，ｙ１）までの折り返し線９１を置く処理が行われる（Ｓ１３３）。そして、（０，ｙ２）から（ｘ６，ｙ２）までの第一折り線９２が印刷イメージに配置される（Ｓ１３４）。次いで、入力情報記憶領域３４４に記憶されている紙束の厚みＣが４ｍｍより大きいか否かの判断が行われる（Ｓ１３５）。紙束の厚みＣが４ｍｍより大きい場合には（Ｓ１３５：ＹＥＳ）、（０，ｙ３）から（ｘ６，ｙ３）までの第二折り線９３が印刷イメージに配置されて（Ｓ１３６）、Ｓ１３７の判断へ移行する。一方で、紙束の厚みＣが４ｍｍ以下である場合には（Ｓ１３５：ＮＯ）、折り目に沿って正確に折ることが困難であるため、見栄えの低下を防止するために、第二折り線９３は印刷イメージに配置されずにＳ１３７の判断へ移行する。すると、図２０に示すように、表面部８２と裏面部８４との間に背表紙部８３が形成されない袋綴じ用紙が作成される。
【００９１】
次いで、使用者によって入力された袋綴じ用紙の形状が標準型であるか否かの判断が行われる（Ｓ１３７）。標準型であると判断された場合には（Ｓ１３７：ＹＥＳ）、（ｘ３，０）から（ｘ３，ｙ４）までの第三折り線９５と、（ｘ４，０）から（ｘ４，ｙ４）までの第三折り線９６とが印刷イメージに配置される（Ｓ１３８）。そして、切取部１０１〜１０４に印刷される切り取り領域マーク、及びＲＯＭ３３の表示メッセージ記憶領域３３２に記憶されている切取部説明文が、印刷イメージに配置される（Ｓ１３９）。これにより、使用者は切り取る領域を容易に把握することができる。
【００９２】
次いで、紙束の厚みＣが４ｍｍより大きいか否かの判断が行われる（Ｓ１４０）。４ｍｍより大きい場合には（Ｓ１４０：ＹＥＳ）、（ｘ２，ｙ１）から（ｘ２，ｙ２）までの第四折り線９７と、（ｘ５，ｙ１）から（ｘ５，ｙ２）までの第四折り線９８とが印刷イメージに配置されて（Ｓ１４１）、Ｓ１４２の処理へ移行する。紙束の厚みが４ｍｍ以下であった場合には（Ｓ１４０：ＮＯ）、折り目に沿って正確に折ることが困難である。よって、見栄えの低下を防止するために、第四折り線９７，９８は印刷イメージに配置されずにＳ１４２の処理へ移行する。すると、図２０に示すように、表面部８２と接着部８７，８８との間に保護部８５，８６が形成されない袋綴じ用紙が作成される。また、袋綴じ用紙の形状が簡易型であった場合には（Ｓ１３７：ＮＯ）、切取部１０１〜１０４や接着部８７，８８等は形成されないため、そのままＳ１４２の処理へ移行する。
【００９３】
次いで、ＲＯＭ３３の表示メッセージ記憶領域３３２に記憶されている密着部説明文が、密着部８１（図９参照）に対応するように、印刷イメージに配置される（Ｓ１４２）。本実施の形態では、形状入力処理（図５参照）において入力された形状に応じて、「右綴じ用」若しくは「左綴じ用」の文字が説明文と共に印刷イメージに配置されるため、より使い勝手のよい袋綴じ用紙を作成することができる。そして、表題文字入力処理（図７参照）において入力された表題が印刷イメージに配置される（Ｓ１４３）。ここで、Ｓ１３５の判断において紙束の厚みＣが４ｍｍ以下であると判断されて（Ｓ１３５：ＮＯ）、第二折り線９３が配置されていない場合には、背表紙部８３（図９参照）が形成されないため、表題は表面部８２及び裏面部８４に対応するように印刷イメージに配置される。一方で、紙束の厚みＣが４ｍｍより大きいと判断されて（Ｓ１３５：ＹＥＳ）、第二折り線９３が配置されている場合には、表題は表面部８２、背表紙部８３、及び裏面部８４に対応するように印刷イメージに配置される。尚、表題文字入力処理にて「なし」が入力された場合には、表題は印刷イメージに配置されない。
【００９４】
次いで、綴じ隠し幅Ｇの値が最小値Ｇｍｉｎと等しいか否かの判断が行われる（Ｓ１４４）。綴じ隠し幅Ｇの値が最小値Ｇｍｉｎと等しい場合には（Ｓ１４４：ＹＥＳ）、袋綴じ用紙のＹ方向の幅ｙ４は、剥離テープのテープ幅ＬＷよりも小さい。従って、（０，ｙ４）から（ｘ６，ｙ４）までの余剰分切り取り線９４が印刷イメージに配置されて（Ｓ１４５）、印刷開始処理へ戻る。一方で、綴じ隠し幅Ｇの値が最小値Ｇｍｉｎの値と異なる場合には（Ｓ１４４：ＮＯ）、そのまま図１５に示す印刷開始処理へ戻る。そして、図１５に示すように、印刷データ作成処理が終了すると（Ｓ７９）、印刷処理が行われる（Ｓ８０）。
【００９５】
次に、図２１を参照して、印刷処理について説明する。図２１のフローチャートに示すように、印刷処理が開始されると、印刷領域の先頭がサーマルヘッド５１に到達するまでテープ送りモータ５３が駆動される（Ｓ１６１）。そして、印刷領域の先頭がサーマルヘッド５１に到達すると、ＲＡＭ３４の印刷データ記憶領域３４１に記憶されている印刷データの印刷が行われる（Ｓ１６２）。次いで、カットする所定の位置がカッター５５に到達するまでテープ送りモータ５３が駆動され（Ｓ１６３）、剥離テープがカットされて（Ｓ１６４）、印刷処理を終了し、印刷開始処理（図１５参照）へ戻る。そして、図１５に示すように、印刷処理が終了すると（Ｓ８０）、戻るフラグを「ＯＦＦ」にする処理が行なわれて（Ｓ８１）、図３に示すメニュー選択処理まで戻り、ＲＡＭ３４の情報が初期状態に戻されて、最初の処理へ戻る。
【００９６】
以上説明したように、本実施の形態の袋綴じ用紙作成装置１によると、使用者によって入力される紙束のサイズ、綴じ方向、形状、紙束の厚み、表題等に応じて、使用者が望む仕様の袋綴じ用紙を容易に作成することができる。さらに、袋綴じ用紙の形状に応じて説明文及び表題を印刷することができるため、作成された袋綴じ用紙は見栄えがよく使い易い。また、装着されている剥離テープの幅が所定値よりも狭い場合には、テープ装着メッセージを表示することで使用者にエラーが報知されるため、幅が狭すぎて使い勝手の悪い袋綴じ用紙が作成されることがなく、装着されている剥離テープの交換等の迅速な対応を行うことができる。そして、改ざん防止効果を有し、表面への押印が可能となる処理が行われた剥離テープを使用することで、より使い勝手のよい袋綴じ用紙を作成することができる。
【００９７】
尚、本発明は、以上詳述した実施の形態に限定されるものではなく、本発明の要旨を逸脱しない範囲内において種々の変更が可能であることは勿論である。例えば、本実施の形態では袋綴じ用紙作成装置１において各種入力、印刷データの作成、印刷の実行等の全てを行っているが、各種入力や印刷データの作成を行うコンピュータと、コンピュータにより作成された印刷データを印刷する印刷装置とを別々に設けてもよい。このように、本発明を実現するための形態は、本実施の形態に限られない。
【００９８】
また、本実施の形態では「Ａ４」、「Ｂ５」等の紙束のサイズが入力されることで、袋綴じ用紙における長手方向の長さが入力されているが、数値が直接入力される構成としてもよいし、紙束のサイズ以外の多数の候補（例えば、「大」「中」「小」）の中から１つが選択されることで長さが入力される構成としてもよい。また、テープ検出センサ４１によるテープ幅の検出方法も変更が可能であり、例えば、光学的センサを用いてテープ幅を検出することもできる。また、使用する剥離テープは、所定幅及び所定長さを有する複数のダイカットテープが並べて仮着された剥離テープでも、ダイカットされていない一続きの剥離テープでもよい。ダイカットされていない剥離テープを使用する場合には、テープの長さを正確に検出する必要はなく、テープの残りの長さが所定長さよりも短くなったか否かのみを検出して、袋綴じ用紙を作成可能か否かの判断を行う構成とすればよい。また、テープの長さを考慮せずに袋綴じ用紙を作成してもよい。
【００９９】
また、本実施の形態では、印刷される表題が複数の候補の中から選択されるが、文字キー等による文字入力が可能な構成とすることで、印刷される表題を直接編集できるようにしてもよい。また、説明文や折り線等を印刷するか否かを使用者に選択させる構成とすることもできるし、「右綴じ」及び「左綴じ」に加えて「上綴じ」の綴じ方向を選択可能としてもよい。また、袋綴じ用紙の密着部８１に位置する部分に粘着剤を塗布せずに剥離テープを構成すると、綴じ針を用いて紙束と袋綴じ用紙とを綴じ合わせる際に粘着剤が張り付くことがないため、使い勝手のよい袋綴じ用紙を作成することができる。
【図面の簡単な説明】
【０１００】
【図１】袋綴じ用紙作成装置１の外観を示す斜視図である。
【図２】袋綴じ用紙１の電気的構成を示すブロック図である。
【図３】袋綴じ用紙作成装置１におけるメニュー選択処理のフローチャートである。
【図４】メニュー選択処理の中で行われる袋綴じ用紙作成処理のサブルーチンのフローチャートである。
【図５】袋綴じ用紙作成処理の中で行われる形状入力処理のサブルーチンのフローチャートである。
【図６】形状入力処理の中で行われる厚み入力処理のサブルーチンのフローチャートである。
【図７】厚み入力処理の中で行われる表題文字入力処理のサブルーチンのフローチャートである。
【図８】表題文字入力処理の中で行われるその他の処理のサブルーチンのフローチャートである。
【図９】右綴じ標準型の袋綴じ用紙と印刷データの座標との関係を示した説明図である。
【図１０】図９に示す袋綴じ用紙により袋綴じを行った場合の紙束の斜視図である。
【図１１】左綴じ標準型の袋綴じ用紙と印刷データの座標との関係を示した説明図である。
【図１２】右綴じ簡易型の袋綴じ用紙と印刷データの座標との関係を示した説明図である。
【図１３】ＲＯＭ３３の寸法記憶領域３３３に記憶されている長さＦの記憶内容を示す概念図である。
【図１４】ＲＯＭの寸法記憶領域３３３に記憶されている固定値の記憶内容を示す概念図である。
【図１５】その他の処理で行われる印刷開始処理のサブルーチンのフローチャートである。
【図１６】印刷開始処理で行われるテープ種類確認処理のサブルーチンのフローチャートである。
【図１７】印刷開始処理で行われるテープ装着メッセージ表示処理のサブルーチンのフローチャートである。
【図１８】印刷開始処理で行われる印刷データ作成処理のサブルーチンのフローチャートである。
【図１９】印刷データ作成処理で行われる座標計算処理のサブルーチンのフローチャートである。
【図２０】背表紙部８３及び保護部８５，８６を有さない左綴じ標準型の袋綴じ用紙を示した図である。
【図２１】印刷開始処理で行われる印刷処理のサブルーチンのフローチャートである。
【符号の説明】
【０１０１】
１    袋綴じ用紙作成装置
４    ロールテープホルダ収納部
９    液晶ディスプレイ
１０    入力キー
３２    ＣＰＵ
３３    ＲＯＭ
３４    ＲＡＭ
４１    テープ検出センサ
５０    印刷機構
８１    密着部
８２    表面部
８３    背表紙部
８４    裏面部
８５，８６    保護部
８７，８８    接着部
９１    折り返し線
９２    第一折り線
９３    第二折り線
９５，９６    第三折り線
９７，９８    第四折り線
１０１〜１０４    切取部
１０６〜１０９    切り取り線
３３２    表示メッセージ記憶領域
【図１】
2008230081.tif 000003
【図２】
2008230081.tif 000004
【図３】
2008230081.tif 000005
【図４】
2008230081.tif 000006
【図５】
2008230081.tif 000007
【図６】
2008230081.tif 000008
【図７】
2008230081.tif 000009
【図８】
2008230081.tif 000010
【図９】
2008230081.tif 000011
【図１０】
2008230081.tif 000012
【図１１】
2008230081.tif 000013
【図１２】
2008230081.tif 000014
【図１３】
2008230081.tif 000015
【図１４】
2008230081.tif 000016
【図１５】
2008230081.tif 000017
【図１６】
2008230081.tif 000018
【図１７】
2008230081.tif 000019
【図１８】
2008230081.tif 000020
【図１９】
2008230081.tif 000021
【図２０】
2008230081.tif 000022
【図２１】
2008230081.tif 000023